(57)【要約】【課題】境界を有する閉鎖領域又はアクセス環境へのアクセス制御をより正確に実行する方法、システム及びプログラムを提供することを目的とする。【解決手段】境界を有する閉鎖領域へのアクセスを制御する方法は、閉鎖領域の内側に第１の音波信号を生成し、かつ第２の信号を生成し、それぞれ検知装置によって検知されるよう構成され、第１の音波信号は境界を貫通することができないことと、検知装置によって検知されている、第１の音波信号、又は第１の音波信号及び第２の信号、のいずれかに基づいて、閉鎖領域の状態を判定することと、状態に基づいて、閉鎖領域に対するアクセス制御を実行するための命令を生成することとを含む。【選択図】図４
2020071872.tif 000002
【特許請求の範囲】
【請求項１】
境界を有する閉鎖領域へのアクセスを制御する方法であって、
前記閉鎖領域の内側に第１の音波信号を生成し、かつ第２の信号を生成し、それぞれが検知装置によって検知されるよう構成され、前記第１の音波信号は前記境界を貫通することができないことと、
前記検知装置によって検知されている、前記第１の音波信号、又は前記第１の音波信号及び前記第２の信号、のいずれかに基づいて、前記閉鎖領域の状態を判定することと、
前記状態に基づいて、前記閉鎖領域に対するアクセス制御を実行するための命令を生成することと
を含む、方法。
【請求項２】
前記第２の信号は、前記境界を貫通することができる電磁周波数（ＥＭＦ）信号、又は前記境界を貫通することができない第２の音波信号を含む、請求項１に記載の方法。
【請求項３】
前記第１の音波信号及び前記第２の音波信号のうちの少なくとも一方は、前記閉鎖領域に関連付けられた装置によって生成され、前記検知装置はユーザに関連する通信装置に結合されるか、又は、前記第１の音波信号及び前記第２の音波信号のうちの前記少なくとも一方は、ユーザに関連する通信装置によって生成され、前記検知装置は、前記閉鎖領域に関連する装置に結合される、請求項２に記載の方法。
【請求項４】
前記判定することは、前記検知装置によって検知される前記第１の音波信号又は前記第２の音波信号、及び前記ＥＭＦ信号に基づいて、前記閉鎖領域の前記状態を判定して、ユーザが前記閉鎖領域の近くにいる指示を提供することをさらに含む、請求項２に記載の方法。
【請求項５】
前記第１の音波信号及び前記第２の音波信号はそれぞれ第１のスピーカ及び第２のスピーカによって生成され、前記第１の音波信号の発生源又は前記第２の音波信号の発生源に関連する１又は複数ビットの情報を含む、請求項２に記載の方法。
【請求項６】
前記第１の音波信号及び前記第２の音波信号は、それぞれ第１のＩＡＸビーコン信号及び第２のＩＡＸビーコン信号を含む、請求項２に記載の方法。
【請求項７】
前記命令を生成することは、前記状態が、前記検知装置によって検知された前記第２の音波信号と前記検知装置によって検知されなかった前記第１の音波信号とを含む前記閉鎖領域に関連するドアをロックするため、又は前記状態が、前記検知装置によって検知された前記第１の音波信号と前記検知装置によって検知されなかった前記第２の音波信号とを含む前記閉鎖領域に関連する前記ドアのロックを解除するために、命令信号を生成することを含む、請求項２に記載の方法。
【請求項８】
前記検知装置は、ユーザに関連する携帯電話又はウェアラブル装置に結合されたマイクロフォンである、請求項１に記載の方法。
【請求項９】
境界を有する閉鎖領域へのアクセスを制御するための命令をコンピュータに実行させるためのプログラムであって、前記命令は、
前記閉鎖領域の内側に第１の音波信号を生成し、かつ第２の信号を生成し、それぞれが検知装置によって検知されるよう構成され、前記第１の音波信号は前記境界を貫通することができないことと、
前記検知装置によって検知されている、前記第１の音波信号、又は前記第１の音波信号及び前記第２の信号、のいずれかに基づいて、前記閉鎖領域の状態を判定することと、
前記状態に基づいて、前記閉鎖領域に対するアクセス制御を実行するための命令を生成することと
を含む、プログラム。
【請求項１０】
前記第２の信号は、前記境界を貫通することができる電磁周波数（ＥＭＦ）信号、又は前記境界を貫通することができない第２の音波信号を含む、請求項９に記載のプログラム。
【請求項１１】
前記第１の音波信号及び前記第２の音波信号のうちの少なくとも一方は、前記閉鎖領域に関連付けられた装置によって生成され、前記検知装置はユーザに関連する通信装置に結合されるか、又は、前記第１の音波信号及び前記第２の音波信号のうちの前記少なくとも一方は、ユーザに関連する通信装置によって生成され、前記検知装置は、前記閉鎖領域に関連する装置に結合される、請求項１０に記載のプログラム。
【請求項１２】
前記第１の音波信号及び前記第２の音波信号はそれぞれ第１のスピーカ及び第２のスピーカによって生成され、前記第１の音波信号の発生源又は前記第２の音波信号の発生源に関連する１又は複数ビットの情報を含む、請求項１０に記載のプログラム。
【請求項１３】
前記第１の音波信号及び前記第２の音波信号は、それぞれ第１のＩＡＸビーコン信号及び第２のＩＡＸビーコン信号を含む、請求項１０に記載のプログラム。
【請求項１４】
前記命令を生成することは、前記状態が、前記検知装置によって検知された前記第２の音波信号と前記検知装置によって検知されなかった前記第１の音波信号とを含む前記閉鎖領域に関連するドアをロックするため、又は前記状態が、前記検知装置によって検知された前記第１の音波信号と前記検知装置によって検知されなかった前記第２の音波信号とを含む前記閉鎖領域に関連する前記ドアのロックを解除するために、命令信号を生成することを含む、請求項１０に記載のプログラム。
【請求項１５】
前記検知装置は、ユーザに関連する携帯電話又はウェアラブル装置に結合されたマイクロフォンである、請求項９に記載のプログラム。
【請求項１６】
境界及びアクセスポイントを有するアクセス環境へのアクセスを制御するためのシステムであって、前記システムは、
前記境界の内部で第１の音波信号と、第２の信号とを生成する出力装置であって、それぞれが検知装置によって検知され、前記第１の音波信号は閉鎖位置にある前記境界及び前記アクセスポイントを貫通することができない、出力装置と、
プロセッサであって、前記検知装置によって検知されている前記第１の音波信号、又は前記第１の音波信号及び前記第２の信号のいずれかに基づいて、前記アクセス環境の状態を判定し、前記判定された状態に基づいて、前記アクセスポイントのアクセス制御を実行するための命令を生成する、プロセッサと
を含む、システム。
【請求項１７】
前記第２の信号は、前記境界を貫通することができる電磁周波数（ＥＭＦ）信号、又は前記境界を貫通することができない第２の音波信号を含む、請求項１６に記載のシステム。
【請求項１８】
前記境界を貫通することができる前記電磁周波数（ＥＭＦ）信号を生成する第２の出力装置をさらに含み、前記プロセッサは、前記検知装置によって検知される前記第１の音波信号又は前記第２の音波信号、及び前記ＥＭＦ信号に基づいて、前記アクセス環境の前記状態を判定し、ユーザが前記アクセス環境の近くにいる指示を提供する、請求項１７に記載のシステム。
【請求項１９】
前記第１の音波信号及び前記第２の音波信号はそれぞれ第１のスピーカ及び第２のスピーカによって生成され、前記検知装置はユーザに関連する携帯電話又はウェアラブル装置に結合されたマイクロフォンであり、さらに、前記第１の音波信号及び前記第２の音波信号は、それぞれ第１のＩＡＸビーコン信号及び第２のＩＡＸビーコン信号である、請求項１７に記載のシステム。
【請求項２０】
前記アクセス環境は、遠隔医療キオスクであって、患者は前記境界内で情報を通信することができ、前記アクセスポイントが閉じられる、遠隔医療キオスクを含むか、又は前記アクセス環境は、複数のプレゼンテーション室のうちの１つであって、前記複数のプレゼンテーション室のそれぞれが、複数のそれぞれ異なる情報サービスを提供する、複数のプレゼンテーション室のうちの１つを含むか、又は前記プレゼンテーション室であって、前記プレゼンテーション室は前記境界内で情報サービスを提供し、前記アクセスポイントが閉じられている、プレゼンテーション室を含む、請求項１６に記載のシステム。
【発明の詳細な説明】
【技術分野】
【０００１】
例示的実施形態の態様は、境界を有する閉鎖領域又はアクセス環境へのアクセス制御をするために音波を使用するための装置及び方法に関する。
【背景技術】
【０００２】
関連技術には、近接検知技術がある。例えば、Ｗｉ−Ｆｉ（登録商標）、ＧＰＳ、及びＢｌｕｅｔｏｏｔｈ（登録商標）を使用して、ユーザに関連する装置の位置を推定することができる。
【０００３】
関連技術では、空間の外側にある場合と内側にある場合との間の実際の距離の差が、それらの関連技術の誤差よりも小さい可能性がある。例えば、関連技術の多くは、１フィート以上の誤差を有しており、これは、限定された空間の外側と内側との間の実際の距離よりも大きい。これは、関連技術が境界又は壁及びドアを透過する電磁場（ＥＭＦ）波の相対受信信号強度（ＲＳＳＩ）又は往復遅延時間（ＲＴＴ）に基づく推定距離に依存するためである。
【０００４】
関連技術の一例では、ユーザの装置がロックの外側にあるが近くにある場合にはドアのロックを解除し、ユーザの装置がロックの近くにない場合にはドアを自動的にロックするために、ジオフェンシングが採用され得る。例えば、関連技術のロックは判定論的エラーにつながる仮定に依存している。ユーザが外側ではなく内側にいる場合に自動的にドアのロックを解除する場合がある。例えば、ユーザがドアを開けた後に外側に出たという仮定は、ユーザが実際には内側にいるときにユーザが外側にいるという誤った判定につながる可能性があり、逆もまた同様である。その結果、ユーザが外側から近づいたときにドアのロックを解除する代わりに、ドアが実際にはロックされることがある。
【０００５】
空間内の実際の存在を判定するモーションセンサ、近接場技術（例えば、ＮＦＣ）、又は極近接場技術（ｖｅｒｙ  ｎｅａｒ  ｆｉｅｌｄ  ｔｅｃｈｎｏｌｏｇｉｅｓ）など、近接検知に関連する他の関連技術がある。例えば、限定するものではないが、関連技術のモーションセンサは、存在を特定の装置、又は装置に関連する個人に帰属させることはできない。さらに、近接場技術は、ユーザが実際にバッジをつけて部屋に入るために、ユーザの資格情報を使用することを要求し、したがってこれは出入りに関して追加の要件を作り出し、又はユーザが例えばバッジをつけて入る又は出ることを忘れた場合、状態エラーを生じ得る。
【先行技術文献】
【特許文献】
【０００６】
【特許文献１】米国特許第９９３２０１３号明細書
【特許文献２】米国特許第９７３０２２５号明細書
【特許文献３】米国特許出願公開第２０１８／００４６８６４号明細書
【特許文献４】米国特許出願公開第２０１５／０１９５６４９明細書
【特許文献５】米国特許出願公開第２００６／０１０６６４６号明細書
【非特許文献】
【０００７】
【非特許文献１】QIU. C., et al., Silent whistle: Effective indoor positioning with assistance from acoustic sensing on smartphones, 2017 IEEE 18th International Symposium on A World of Wireless, Mobile and Multimedia Networks (WoWMoM), Macau, China, June 12-15, 2018, 7 pgs.
【非特許文献２】SCHWEINZER, H., et al., Ultrasonic Device Localization and its Potential for Wireless Sensor Network Security, Cntril Engineering Practive 10, 2019, p. 852-862
【非特許文献３】Language Support, LanBridge, [online] 4 pgs, URL: http://chi2017/acm.org/language-supprt/html
【非特許文献４】ARP. D., et al., Privacy Threats Through Ultrasonic Side Channels on Mobile Devices, 20017 IEEE European Symposium on Security and Privacy (EuroS&P), Paris, France, April 26-28, 2017, 13 pgs.
【発明の概要】
【発明が解決しようとする課題】
【０００８】
本開示の技術は、上述の近接検知技術を利用した場合に比べて、境界を有する閉鎖領域又はアクセス環境へのアクセス制御をより正確に実行する方法、システム及びプログラムを提供することを目的とする。
【課題を解決するための手段】
【０００９】
例示的実施形態の第１の態様によれば、方法は、境界を有する閉鎖領域へのアクセスを制御することを含み、閉鎖領域の内側に第１の音波信号を生成し、かつ第２の信号を生成し、それぞれが検知装置によって検知されるよう構成され、第１の音波信号は境界を貫通することができないことと、検知装置によって検知されている、第１の音波信号、又は第１の音波信号及び第２の信号、のいずれかに基づいて、閉鎖領域の状態を判定することと、状態に基づいて、閉鎖領域に対するアクセス制御を実行するための命令を生成することとを含む。
【００１０】
例示的実施形態の第２の態様によれば、第２の信号は、境界を貫通することができる電磁周波数（ＥＭＦ）信号、又は境界を貫通することができない第２の音波信号を含む。
【００１１】
例示的実施形態の第３の態様によれば、第１の音波信号及び第２の音波信号のうちの少なくとも一方は、閉鎖領域に関連付けられた装置によって生成され、検知装置はユーザに関連する通信装置に結合されるか、又は、第１の音波信号及び第２の音波信号のうちの少なくとも一方は、ユーザに関連する通信装置によって生成され、検知装置は、閉鎖領域に関連する装置に結合される。
【００１２】
例示的実施形態の第４の態様によれば、判定することは、検知装置によって検知される第１の音波信号又は第２の音波信号、及びＥＭＦ信号に基づいて、閉鎖領域の状態を判定し、ユーザが閉鎖領域の近くにいる指示を提供することをさらに含む。
【００１３】
例示的実施形態の第５の態様によれば、第１の音波信号及び第２の音波信号はそれぞれ第１のスピーカ及び第２のスピーカによって生成され、第１の音波信号の発生源又は第２の音波信号の発生源に関連する１又は複数ビットの情報を含む。
【００１４】
例示的実施形態の第６の態様によれば、第１の音波信号及び第２の音波信号は、それぞれ第１のＩＡＸビーコン信号及び第２のＩＡＸビーコン信号を含む。
【００１５】
例示的実施形態の第７の態様によれば、命令を生成することは、状態が、検知装置によって検知された第２の音波信号と検知装置によって検知されなかった第１の音波信号とを含む閉鎖領域に関連するドアをロックするため、又は状態が、検知装置によって検知された第１の音波信号と検知装置によって検知されなかった第２の音波信号とを含む閉鎖領域に関連するドアのロックを解除するために、命令信号を生成することを含む。
【００１６】
例示的実施形態の第８の態様によれば、検知装置は、ユーザに関連する携帯電話又はウェアラブル装置に結合されたマイクロフォンである。
【００１７】
例示的実施形態の第９の態様によれば、境界を有する閉鎖領域へのアクセスを制御するための命令をコンピュータに実行させるためのプログラムであって、命令は、閉鎖領域の内側に第１の音波信号を生成し、かつ第２の信号を生成し、それぞれが検知装置によって検知されるよう構成され、第１の音波信号は境界を貫通することができないことと、検知装置によって検知されている、第１の音波信号、又は第１の音波信号及び第２の信号、のいずれかに基づいて、閉鎖領域の状態を判定することと、状態に基づいて、閉鎖領域に対するアクセス制御を実行するための命令を生成することとを含む。
【００１８】
例示的実施形態の第１０の態様によれば、第２の信号は、境界を貫通することができる電磁周波数（ＥＭＦ）信号、又は境界を貫通することができない第２の音波信号を含む。
【００１９】
例示的実施形態の第１１の態様によれば、第１の音波信号及び第２の音波信号のうちの少なくとも一方は、閉鎖領域に関連付けられた装置によって生成され、検知装置はユーザに関連する通信装置に結合されるか、又は、第１の音波信号及び第２の音波信号のうちの少なくとも一方は、ユーザに関連する通信装置によって生成され、検知装置は、閉鎖領域に関連する装置に結合される。
【００２０】
例示的実施形態の第１２の態様によれば、第１の音波信号及び第２の音波信号はそれぞれ第１のスピーカ及び第２のスピーカによって生成され、第１の音波信号の発生源又は第２の音波信号の発生源に関連する１又は複数ビットの情報を含む。
【００２１】
例示的実施形態の第１３の態様によれば、第１の音波信号及び第２の音波信号は、それぞれ第１のＩＡＸビーコン信号及び第２のＩＡＸビーコン信号を含む。
【００２２】
例示的実施形態の第１４の態様によれば、命令を生成することは、状態が、検知装置によって検知された第２の音波信号と検知装置によって検知されなかった第１の音波信号とを含む閉鎖領域に関連するドアをロックするため、又は状態が、検知装置によって検知された第１の音波信号と検知装置によって検知されなかった第２の音波信号とを含む閉鎖領域に関連するドアのロックを解除するために、命令信号を生成することを含む。
【００２３】
例示的実施形態の第１５の態様によれば、検知装置は、ユーザに関連する携帯電話又はウェアラブル装置に結合されたマイクロフォンである。
【００２４】
例示的実施形態の第１６の態様によれば、境界及びアクセスポイントを有するアクセス環境へのアクセスを制御するためのシステムであって、システムは、前記境界の内部にある第１の音波信号と、第２の信号とを生成する出力装置であって、それぞれが検知装置によって検知され、第１の音波信号は閉鎖位置にある境界及びアクセスポイントを貫通することができない、出力装置と、プロセッサであって、検知装置によって検知されている第１の音波信号、又は第１の音波信号及び第２の信号のいずれかに基づいて、アクセス環境の状態を判定し、判定された状態に基づいて、アクセスポイントのアクセス制御を実行するための命令を生成する、プロセッサとを含む、
【００２５】
例示的実施形態の第１７の態様によれば、第２の信号は、境界を貫通することができる電磁周波数（ＥＭＦ）信号、又は境界を貫通することができない第２の音波信号を含む。
【００２６】
例示的実施形態の第１８の態様によれば、境界を貫通することができる電磁周波数（ＥＭＦ）信号を生成する第２の出力装置をさらに含み、プロセッサは、検知装置によって検知される第１の音波信号又は第２の音波信号、及びＥＭＦ信号に基づいて、アクセス環境の状態を判定し、ユーザが閉鎖領域の近くにいる指示を提供する。
【００２７】
例示的実施形態の第１９の態様によれば、第１の音波信号及び第２の音波信号はそれぞれ第１のスピーカ及び第２のスピーカによって生成され、検知装置はユーザに関連する携帯電話又はウェアラブル装置に結合されたマイクロフォンであり、さらに、第１の音波信号及び第２の音波信号は、それぞれ第１のＩＡＸビーコン信号及び第２のＩＡＸビーコン信号である。
【００２８】
例示的実施形態の第２０態様によれば、アクセス環境は、遠隔医療キオスクであって、患者は境界内で情報を通信することができ、アクセスポイントが閉じられる、遠隔医療キオスクを含むか、又はアクセス環境は複数のプレゼンテーション室のうちの１つであって、複数のプレゼンテーション室のそれぞれが、複数のそれぞれ異なる情報サービスを提供する、複数のプレゼンテーション室のうちの１つを含むか、又はプレゼンテーション室であって、プレゼンテーション室は境界内で情報サービスを提供し、アクセスポイントが閉じられている、プレゼンテーション室とを含む。
【００２９】
特許ファイル又は出願ファイルには、カラーで実行される少なくとも１つの図面が含まれる。カラー図面を含むこの特許又は特許出願の写しは、請求及び必要な手数料の支払いを受けて庁が提供する。
【図面の簡単な説明】
【００３０】
【図１（ａ）】図１（ａ）は、閾値境界上の存在を検出するための関連技術の手法を示す図である。
【図１（ｂ）】図１（ｂ）は、閾値境界上の存在を検出するための関連技術の手法を示す図である。
【図２（ａ）】図２（ａ）は、例示的実施形態と比較して、関連技術の手法に関連し得る様々な問題及び欠点を示す図である。
【図２（ｂ）】図２（ｂ）は、例示的実施形態と比較して、関連技術の手法に関連し得る様々な問題及び欠点を示す図である。
【図２（ｃ）】図２（ｃ）は、例示的実施形態と比較して、関連技術の手法に関連し得る様々な問題及び欠点を示す図である。
【図３（ａ）】図３（ａ）は、例示的実施形態と比較して、関連技術の手法に関連し得る様々な問題及び欠点を示す図である。
【図３（ｂ）】図３（ｂ）は、例示的実施形態と比較して、関連技術の手法に関連し得る様々な問題及び欠点を示す図である。
【図４】図４は、第１の判定モードと第２の判定モードとを組み合わせた例示的実施形態を示す図である。
【図５】図５は、例示的実施形態による作業ブースを示す図である。
【図６（ａ）】図６（ａ）は、作業ブースに対する例示的実施形態の例示的な使用法を示す図である。
【図６（ｂ）】図６（ｂ）は、作業ブースに対する例示的実施形態の例示的な使用法を示す図である。
【図６（ｃ）】図６（ｃ）は、作業ブースに対する例示的実施形態の例示的な使用法を示す図である。
【図６（ｄ）】図６（ｄ）は、作業ブースに対する例示的実施形態の例示的な使用法を示す図である。
【図６（ｅ）】図６（ｅ）は、作業ブースに対する例示的実施形態の例示的な使用法を示す図である。
【図６（ｆ）】図６（ｆ）は、作業ブースに対する例示的実施形態の例示的な使用法を示す図である。
【図７】図７は、モバイルコンピューティング装置を使用する例示的実施形態を示す図である。
【図８】図８は、例示的実施形態によるモバイル装置及び公衆ディスプレイの移行状態を示す図である。
【図９】図９は、例示的実施形態による移行するシステム状態を示す図である。
【図１０】図１０は、例示的実施形態を採用する遠隔医療キオスクを示す図である。
【図１１】図１１は、例示的実施形態に関連したユーザ体験を示す図である。
【図１２】図１２は、例示的実施形態による会議のプレゼンテーションを示す図である。
【図１３】図１３は、例示的実施形態による、部屋ベースの音楽識別の一例を示す図である。
【図１４】図１４は、例示的実施形態による方法を示す図である。
【図１５】図１５は、幾つかの例示的実施形態において使用するのに適した例示的コンピュータ装置を有する例示的コンピューティング環境を示す図である。
【図１６】図１６は、幾つかの例示的実施形態に適した環境例を示す図である。
【発明を実施するための形態】
【００３１】
以下の詳細な説明は、本出願の図面及び例示的実施形態のさらなる詳細を提供する。明確化のために図面間の冗長要素の参照番号及び説明は省略している。明細書全体にわたって使用されている用語は、例として提供されており、限定を意図するものではない。
【００３２】
限定ではなく例として、本明細書で使用される「限定された空間」という用語は、内側部分及び外側部分を作り出すように入り口及び境界を有する任意の容積を指すことができる。境界は、ＥＭＦに対して透過性の壁、天井などであり得、入り口はドアなどであり得る。さらに、「作業ブース」という用語は、ユーザが閉鎖された限定された空間内で１又は複数のタスクを実行することができるように、ユーザが出入りするよう構成された限定された空間を指す。
【００３３】
限定された空間アクセス制御のためのＥＭＦ、モーションセンサ、又は近接場技術の関連技術の手法とは対照的に、例示的実施形態は、音波を使用する手法をとる。例えば、ＥＭＦ方法とは異なり、音波は、境界隆起に関連する壁及びドアの境界を貫通しない可能性がより高いので、関連技術よりも閾値境界の状況に対してより有用であり得る。さらに、近接場技術とは異なり、音波を使用することで、状態の変化に基づいてアクセス制御を変更するための特定のユーザ動作は必要ない。音波はまた、近距離で少量のデータを送信してもよく、これにより、追加の情報と、近接場技術やモーションセンサでは不可能な短距離とを提供することができる。
【００３４】
より具体的には、本例示的実施形態の手法は、音波を利用する。２０ｋＨｚを超える周波数では、音波は人間の耳には聞こえない場合があるが、市販のマイクロフォンなどの検知装置では拾うことができる。人間の耳には聞こえないがマイクロフォンなどの既存の音声検出装置によって検知することができるそのような音波は、「不可聴音声」と呼ばれることがある。音波の利用をユーザに意識させない点で、音波として不可聴音声を利用することがより好ましい。
【００３５】
不可聴音声を使用する本例示的実施形態は、ユーザに関連する装置の存在の検出を開始し、装置及び関連付けられたユーザが、壁又はドアなどの物理的閾値の一方又は他方に存在するか否かに関する判定の許可を開始する。外部スケジューリングシステムなどのスケジューリングシステムと組み合わせて、所与の時間に、装置に関連する特定のユーザに対して限定された空間へのドアをロックするかドアのロックを解除するかについての判定を行うことができる。任意に、不可聴音声ビーコンは、ＥＭＦベースの近接サービスと組み合わせることができる。
【００３６】
したがって、超音波などの不可聴音波は、閾値の内側に位置するビーコンと、閾値の外側側に位置するビーコンと、例えば、ビーコンの出力を検知するよう構成された携帯電話又はウェアラブル装置などのユーザに関連するモバイル装置との間で送受信され得る。代替として、ビーコンとセンサとの位置は、ビーコンがユーザに関連する装置上にあり、センサが閾値の内側又は外側に配置されるように、逆にすることができる。
【００３７】
したがって、例示的実施形態は、本明細書で「ＩＡＸビーコン」と呼ばれる、不可聴、超音波かつデータを提供できる出力信号を生成するビーコンを使用する。ＢＬＥ（Ｂｌｕｅｔｏｏｔｈ  Ｌｏｗ  Ｅｎｅｒｇｙ）ビーコンは、元のＢｌｕｅｔｏｏｔｈ仕様と同様に、無線周波数ベースの通信手法を採用する。また、Ｂｌｕｅｔｏｏｔｈのように、ＢＬＥ装置は２．４ＧＨｚの周波数を使用するが、Ｂｌｕｅｔｏｏｔｈより少ないチャネルと少ない電力を使用する。本例示的実施形態では、音声ベースの通信、具体的には人間には聞こえない音波（例えば超音波）に依存するＩＡＸビーコンが使用される。音波は、ＢＬＥが基礎になっている電波とはまったく異なる。したがって、本明細書で説明される場合、特に明記しない限り、「ビーコン」という用語は、一般に、ＩＡＸビーコン（例えば、音声ベースの通信に依存するビーコン、具体的には人間に聞こえない音波（例えば超音波））を指し、ＢＬＥビーコンや他のビーコンではない。ＩＡＸビーコンは、ＢＬＥビーコンなどの他のビーコンと区別可能であることに留意されたい。しかしながら、例えばスピーカを含むがこれに限定されない、情報を含む不可聴の超音波データを送信することができる任意の音波生成装置を使用することができる。
【００３８】
外部サービスなどのスケジューリングサービスに関連して、ユーザに関連する現在のセッション状態が提供されてもよく、これはユーザのセッションが現在アクティブであるか否かを示す。さらに、セッション情報は、限定された空間に関連するドアのロックを制御し、また例えばロック又はロック解除などのドアの状態を、限定された空間又は作業ブースの内部及び／又は外部に表示する外部サービスなどのロック管理サービスを接続するために使用されてもよい。
【００３９】
図１（ａ）及び図１（ｂ）は、限定された空間のアクセス制御への関連技術の手法１００を示す。図１（ａ）に示されるように、１０１において、オンラインアプリケーションを有するモバイルコンピューティング装置１０３は、モバイルコンピューティング装置１０３がユーザからの通信、ロック１０５（例えばドア上で）コマンドに基づいて近接場信号を送信し、コマンドに応じて、ロック又はロック解除するときに、近接場通信を介してロック１０５と通信するよう構成される。
【００４０】
図１（ｂ）に示されるように、１０７において、モバイルコンピューティング装置１０９は、オンラインモバイルアプリケーションから送信された信号に応答して、オンラインアプリケーションが提供される。例えば、ユーザ入力に応答して、家などへの入り口である（例えば、入り口キーパッド又はハードキーインタフェースを有する）ドアのロック１１１が信号を受信し、ドアがロック又はロック解除される。しかしながら、上記で説明したように、この関連技術手法は、ユーザが能動的にロック又はロック解除動作を要求することを必要とし、さらに、例えば、離れるときにドアをロックすることを忘れる、又は外側にいるときに誤ってドアのロックを解除し、次に内側にいるときにドアをロックするなど、ユーザが動作の実行に失敗する場合、状態エラーが発生する可能性がある。
【００４１】
図２（ａ）〜図２（ｃ）は、２００において、例示的実施形態と比較して、前述の関連技術の問題を示す。図２（ａ）に示すように、近接検知を有さない限定された空間が提供される。より具体的には、１又は複数の壁２０１は、ドア２０３などの入り口と組み合わせて提供され、作業領域２０７と同様に、限定された空間内にあるときにユーザが配置される椅子などの領域２０５を有することができる内部を備える。近接検知はなく、例えば、当事者又は物理的な鍵によって、任意の出入りを達成することができる。
【００４２】
図２（ｂ）は、関連技術による手法を示す。作業ブース用の限定された空間のために、１又は複数の壁２０１がドア２０３と組み合わせて設けられて、限定された空間を作り出す。上述したように、作業領域である領域２０７と同様に、ユーザが位置するための領域２０５が設けられている。この例示的実施形態では、コンピューティング装置２０９が作業領域２０７に設けられている。
【００４３】
２１１において、ユーザに関連する装置が作業ブース内にあり、電磁波２１７を発生させる。ユーザが作業ブースの外にいるときなど、ユーザに関連する装置が２１１から２１３に移動されると、電磁波２１９が発生する。２１５において、ユーザは作業ブースから遠く離れている。限定された空間の内側から発生した電磁波は、ユーザに関連するモバイル装置によって限定された空間の外側で検知される可能性があり、その逆もまた同様であるため、境界又は壁に関して誤った位置判定の危険がある。したがって、関連技術の手法では、閾値境界を正確に検出することはできない。
【００４４】
図２（ｃ）は、例示的実施形態による閾値境界検出システムを示す。上述のように、１又は複数の壁２０１及び取り付けられたドア２０３は、限定された空間の閾値境界を形成する。ユーザ領域２０５及び作業領域２０７が提供され、作業領域２０７は任意にコンピューティング装置２０９を含む。
【００４５】
２１１において、パーソナルコンピュータなどのユーザに関連する装置は作業ブース内にあり、不可聴音波２２１を生成する。ユーザが作業ブースの外にいるときなど、ユーザに関連する装置が２１１から２１３に移動されると、不可聴音波２２３が作業ブースの外部の装置によって生成される。２１５において、ユーザはブースから遠く離れている。限定された空間の内側で生成された不可聴音波２２１は、限定された空間の壁又はドアによって減衰し、また限定された空間の外側で生成された不可聴音波２２３についてその逆も同様であり、閾値境界の正確な検出が実行され得る。
【００４６】
図３（ａ）及び図３（ｂ）は、３００で作業ブースが互いに隣接している例示的実施形態を示す。より具体的には、図３（ａ）に示されるように、３０１において、関連技術のＥＭＦベースの閾値検出システムが採用される。第１の装置３０３及び第１のユーザが第１の作業ブース内にあり、第２の装置３０５及び第２のユーザが第２の作業ブース内にいる。第１の作業ブース及び第２作業ブースはそれぞれ、少なくとも１つの共通壁を共有する。第１の作業ブースの内側に（例えば第１の装置３０３に）配置されたビーコンはＥＭＦ信号３０７を生成し、第２の作業ブースの内側に（例えば第２の装置３０５に）配置された別のビーコンはＥＭＦ信号３０９を生成する。２つの作業ブースのＥＭＦ信号は壁を通過するとき互いに重なり合うので、関連技術の手法では、どのユーザがどの作業ブースにいるのかについて正確な判定ができない。
【００４７】
これに対して、３１１で図３（ｂ）に示すように、第１の作業ブース内の第１のユーザに関連する第１の装置３１３は、第２の作業ブース内の第２のユーザに関連する第２の装置３１５に隣接し、壁を共有する。第１の作業ブース内のビーコンは、不可聴音声信号３１７を生成し、第２の作業ブース内のビーコンは、別の不可聴音声信号３１９を生成する。この例示的実施形態では、不可聴音声信号は壁又はドアなどの物理的閾値を通過しない。さらに、ユーザが誤った作業ブースに入る危険性を回避するため、第１のユーザが第１の作業ブースのみを使用でき、第２のユーザが第２の作業ブースのみを使用できるように、第１及び第２の作業ブースのそれぞれに対する信号は異なる特性（例えば周波数又は振幅）を有する。したがって、どのユーザがどの作業ブースにいるのかに関する正確な判定を実行することができる。
【００４８】
図４は、４００における別の例示的実施形態の説明図を提供する。１又は複数の壁及びドアが提供されて限定された空間を生成し、中にユーザが配置されてもよく、作業領域が上記で説明されたように提供され得る。さらに、限定された空間は、不可聴音声信号４０３を生成するビーコン、並びにＥＭＦ信号又はＢｌｕｅｔｏｏｔｈ信号４０５（例えば、閉鎖空間の境界を貫通することができる信号）を生成する装置を含む。したがって、閉鎖空間の境界によって制限されない不可聴音声信号を受信する内部超音波センサは、閉鎖空間の境界によって制限されない信号を受信するＢｌｕｅｔｏｏｔｈセンサなどと組み合わされて、ユーザがほぼ作業ブースの近くにいると判定することができ、さらにユーザが特定の空間の内側にいるか外側にいるかについての判定を提供する。したがって、ユーザが作業ブースの内側にいるか外側にあるかを判定する能力を妨げることなく、ユーザが作業ブースの近くにいるか否かを判定する必要があり、同時にユーザが作業ブースの内側にいるか外側にいるかについての判定を可能にする状況が得られる。
【００４９】
上記で説明したように、例示的実施形態は、作業ブースに関連付けられた限定された空間、例えば、限定するものではないが、個人用作業ブースを対象としている。個人用作業ブースの一例が図５の５００に示されている。したがって、システムは、ユーザ装置に関連付けられたユーザが作業ブースにアクセスできるか否かを示すことができる外部サービスに接続する、又は結合されるよう構成される。
【００５０】
例えば、作業ブースの構造は、１又は複数の壁５０１と、１又は複数の壁５０１と接合してその中に限定された空間を画定するドア５０３とを含むことができる。作業ブース内には、この場合はユーザが座って作業することができるユーザ領域５０５、及びこの場合はコンピューティング装置を収容する作業領域５０７がある。さらに、アクセスモジュールが５１１に提供され、インタフェースが５１３に提供される。例示的実施形態によれば、アクセスモジュール５１１はビーコンを含むことができ、インタフェース５１３は、ドアがロックされているか否かに関する表示、ユーザの許可を得た今後のスケジュール情報、ユーザ情報などを含むことができる。
【００５１】
図６（ａ）〜（ｆ）に示されるように、例示的実施形態は、装置が不可聴音声信号を受信可能である限り、モバイルコンピューティング装置、時計、又はユーザに関連付けることができる他の装置など、ユーザに関連する装置と相互運用可能であるよう構成される。上記で説明したように、不可聴音声信号は、モバイルコンピューティング装置上のマイクロフォンなどのマイクロフォンによって検知することができる。したがって、マイクロフォンを備えたモバイルコンピューティング装置を有するユーザは、作業ブースの例示的実施形態を使用することができる。
【００５２】
６００で、作業ブースに関連する様々な状態が示される。図６（ａ）に示すように。６０１において、セッションはアクティブである。より具体的には、ドア６０５は閉じられており、ディスプレイ装置６０３はドアがロックされていることを示す。ユーザは限定された空間の中にいない。図６（ｂ）に示すように、６１１で、ユーザは作業ブースに近づく。ディスプレイ６１３は、ユーザがドア６１５を開くことができるように、ドアのロックが解除されているというメッセージを提供する。次に、ユーザは作業ブースに入り、図６（ｃ）の６２１に示すように、ユーザは、例えばラップトップなどのパーソナルコンピューティング装置上で作業しており、６２３で、ユーザにメッセージが提供され、それによりユーザはドアがロックされていることを認識する。図６（ｄ）に示すように、６３１においてユーザは作業ブースを出て、６３５でユーザがドアを開くと、ディスプレイ６３３はドアのロックが解除されていることを示す。図６（ｅ）に示すように、６４１において、ドアがロックされていることをディスプレイ６４３によって表示し、６４５においてドアがロックされていることを示す。図６（ｆ）に示すように、６５１において、ユーザは作業ブースにいるが、６５３に示すようにドアがロックされているという表示が提供される。
【００５３】
上記の例に示されるように、ユーザが作業ブースに近づくと、ユーザに関連する装置、この場合はユーザの時計は、６０１で超音波音声信号を検知し、６１１でドアのロックを解除する。ユーザが６２１で仕事に落ち着くと、システムは自動的にドアをロックする。６３１に示すように、ユーザがセッション中に退場することを決めた場合、６４１に示すように、ユーザが範囲外になるとシステムは自動的にドアをロックする。ユーザのセッションが完了すると、システムは音声通知と共に通知を提供し、６５１に示すようにドアのロックを解除する。
【００５４】
図７は、モバイル装置を含む例示的実施形態７００を示す。より具体的には、モバイル装置７０１、この場合はスマートフォンは、７０５でビーコンから受信した信号を検知するよう構成されたインタフェース７０３を含む。したがって、モバイル装置７０１は、不可聴音声信号を受信し、それに応答して７０３で出力を生成するマイクロフォンを含む。
【００５５】
上記で説明したように、例示的実施形態は、モバイル装置及びディスプレイに関連する１又は複数の状態、並びにシステムのビーコンを含み得る。例えば、限定ではなく、図８に示されるように、８００で、複数の状態８０１〜８１１が示される。
【００５６】
第１の状態８０１において、セッションはアクティブであり、ユーザは両方のＩＡＸビーコンから離れている。この状態によれば、ユーザが作業ブースから離れているという指示が、ユーザに関連するモバイル装置に提供され、ディスプレイはユーザに作業ブースへ進むよう指示を提供する。同時に、作業ブースの入り口にあるディスプレイに、ドアがロックされている指示が提供される。このようにして、ユーザはシステムから作業ブースに進むように通知される。
【００５７】
８０３において、システムの状態は、セッションがアクティブであり、ユーザがまだ作業ブースの外側にいるが作業ブースの近くにいるような状態である。したがって、ユーザに関連する装置は、作業ブースの外側に配置されているＩＡＸビーコンを検出する。ユーザは作業ブースの外にいるので、モバイル装置は、セッションがアクティブであり、ユーザが作業ブースに入るべきであることを示すメッセージを表示する。ディスプレイはドアのロックが解除されていることを示す。したがって、システムは、ユーザが作業ブースに入るためにドアのロックを解除する。
【００５８】
８０５において、システムの状態は、セッションがアクティブであり、ユーザに関連する装置が作業ブースの内側に配置されているＩＡＸビーコンのみを検出するようなものである。より具体的には、作業ブースの内側に配置されたＩＡＸビーコンは、ユーザに関連する装置が、セッションがアクティブであることを示すように、ユーザに関連する装置のマイクロフォンによって検出される不可聴音声信号を生成する。作業ブースの外側の表示は、ドアがロックされていることを示す。したがって、システムは作業ブースをロックし、ユーザはセッションにおいて作業ブースの内側にいる。
【００５９】
８０７において、システムの状態は、セッションが非アクティブであり、ユーザに関連する装置が作業ブースの内側にあるＩＡＸビーコンのみを検出するようなものである。ユーザによって関連付けられた装置のマイクロフォンによって受信された信号に基づいて、作業ブース内のＩＡＸビーコンからの不可聴音声信号の形態で、ユーザに関連する装置は、セッションが現在非アクティブであり、かつユーザが作業ブースを退出すべきであることを示す表示を生成する。さらに、作業ブースの外側にあるディスプレイは、ドアのロックが解除されていることを示す。このようにして、システムはユーザのためのドアのロックを解除し、ユーザに彼らのセッションが終了したことを通知する。
【００６０】
８０９において、システムの状態は、セッションが非アクティブであり、ユーザが作業ブースを出たので、ユーザに関連する装置は、作業ブースの外側にあるＩＡＸビーコンをのみを検出できるという状態である。その外部ＩＡＸビーコンによって提供されるメッセージに基づいて、ユーザに関連する装置は信号を受信し、セッションが非アクティブであり、かつユーザが待機する必要があるという指示を表示する。外部ディスプレイはドアがロックされていることを示す。この状況では、セッションが非アクティブであるため、システムはこの特定の状況ではユーザを無視する。
【００６１】
８１１において、システムの状態は、セッションが非アクティブであり、ユーザがＩＡＸビーコンの範囲外にいるように、ユーザが作業ブースから離れた状態である。この時点で、ユーザに関連する装置は、ＩＡＸビーコンから信号を受信しておらず、代わりに、ユーザに関連する装置がＩＡＸビーコンから離れているという指示を表示しているだけである。さらに、作業ブースの表示はドアがロックされていることを示す。セッションが非アクティブでユーザが範囲外であるため、この特定の状況ではシステムはユーザを無視する。
【００６２】
前述の例示的実施形態は、ディスプレイが作業ブースの外側に提供されることを示している。しかしながら、同じディスプレイはまた、作業ブースの内側に設けられるよう構成されているので、ユーザは作業ブースの外側に提供されているディスプレイを認識し、したがってロック又はロックが解除されているドアの状態を認識する。
【００６３】
上記の例示的実施形態では、システムのデフォルト状態はドアがロックされたままであることである。さらに、ユーザが出入りしているような、ドアが開いている境目の場合では、ユーザに関連する装置が内部ＩＡＸビーコンと外部ＩＡＸビーコンの両方を同時に検出できる可能性がある。しかしながら、作業ブースのドアは開いているため、この時点ではシステムはデフォルトで非アクティブである。
【００６４】
上記の例示的実施形態では、近接して同じ場所に配置された複数の作業ブースがあり得る。そのような状況では、システムは、ユーザに関連する装置が正しいＩＡＸビーコンを検出する状態と、ユーザが間違った作業ブースにおり、間違ったＩＡＸビーコンが検出される状態とを含むことになる。しかしながら、以下に説明されるように、不可聴音声信号はデータも含むことができ、作業ブースの識別はユーザに関連する装置によって検証することができ、又はその逆も同様である。
【００６５】
さらに、上述したように、超音波ビーコンを電磁波ベースの技術（例えば、ＲＦ信号ベース）と組み合わせて使用して、閾値境界交差を判定することができる。例えば、これに限定されないが、超音波センサは、限定された空間の内側に配置され、Ｂｌｕｅｔｏｏｔｈセンサと組み合わされて、Ｂｌｕｅｔｏｏｔｈ検出技術を使用してユーザがほぼ近くにいることを判定し、限定された空間内の超音波センサを使用して、ユーザが特定の限定された空間の内側又は外側にいることを判定してもよい。また、上述したように、ビーコンは、本明細書に記載の発明の範囲から逸脱することなく、ユーザに関連する装置が不可聴音声信号を送信する状況に対して、マイクロフォンなどの受信機として構成されてもよい。
【００６６】
本明細書で説明される例示的実施形態は、構成に応じて、限定された空間位置にあるビーコン、又はユーザに関連する装置のいずれかによって生成された不可聴音声信号を使用する。１つの例示的実施形態によれば、生成される不可聴音声は超音波音声であり得る。より具体的には、２つのＩＡＸビーコンを使用することができ、一方は限定された空間の内側にあり、他方は限定された空間の外側にあってもよい。ビーコンは、ステレオ出力などの音声出力を有する任意の装置であってもよい。例えば、ステレオ又はスピーカシステムを有するタブレットディスプレイはビーコンであってもよい。さらに、マイクロフォン及びソフトウェアなどの必要な信号処理オンラインアプリケーション、又は命令を含む非一時的コンピュータ可読媒体を有する任意の装置が、信号を受信し処理することができる。
【００６７】
また、タイムアウトに基づいて状態を判定してもよく、言い換えれば、所定の時間が経過したとき、状態が変化してもよい。さらに、内部又は外部のいずれかであり、ビーコン及びセンサに基づいて検出されたユーザに関連する装置の存在もまた、状態を判定するために使用されてもよい。
【００６８】
１つの例示的実施形態によれば、オープンソースプラットフォーム（例えば、Ｃｈｉｒｐ．ｉｏ）を使用して超音波データ、又は不可聴音声信号を送受信する。このプラットフォームは、公共の場所、駅、屋外など、「ノイズが多い」と見なされる環境で信号を受信できるよう構成されている。システムはまた、８バイトの長さを有するメッセージを送信する。しかしながら、例示的実施形態はこれに限定されず、システムキーがユーザに固有であり、一致を判定することができるように８〜１６バイトの範囲が提供されてもよい。さらに、例示的実施形態はネットワーク接続を必要とせず、したがってインターネット接続性を有さない地域又は状況で動作することができる。例えば、例示的実施形態の本発明の範囲から逸脱することなく、カフェの設定や標準的な電話会議などのバックグラウンドミュージックがある場合に、例示的実施形態を使用することができる。
【００６９】
上述のように、ＩＡＸビーコンは短いメッセージを（例えば、任意の１６進文字に）送信することができ、欠如を検出するために遅延を使用することができる。例示的実施形態は、長さが最大で１６個の１６進文字（例えば８バイト）を含むがこれに限定されない、より長いメッセージを送信することができる。したがって、例示的実施形態は、内部及び外部マイクロフォンのそれぞれによって送信されるキーを使用することによって、潜在的な「中間者」の攻撃を防ぐことができ、キーは各ユーザ／ドア対（例えば、ユーザ／ブース対、及び作業ブースの場合はセッションの組み合わせ）に固有に生成される。
【００７０】
図９は、９００における例示的実施形態による上記の状態を示す。９０１で、ビーコンから信号を受信し、状態出力を提供するためにその信号を処理するユーザに関連する装置によって示されるように、ユーザは作業ブースの中にいる。例示的実施形態は、９０３でセッションがアクティブであるか否か、又は９０７でセッションが非アクティブであるか否かを判定することができる。セッションが９０３でアクティブであると判定された場合、９０５でドアがロックされ、上述したように、適切な表示メッセージがディスプレイに提供され、ユーザが見ることができる。９０７でセッションが非アクティブであることが示される場合、９０９でドアのロックが解除され、９１１で、不可聴音声信号を受信するユーザに関連する装置を介してユーザに通知が提供される。
【００７１】
９１３で、ドアが開き、ユーザは作業ブースに入るか又は出るかのいずれかであるように、ユーザは移行中である。９１５でセッションがアクティブであるという判定のために、センサは内部ビーコン及び外部ビーコンの両方の出力を検出するので、９１７で信号は無視される。同様に、９１９でセッションが非アクティブであると判定された場合、９２１で結果は無視され、何の動作も行われない。したがって、ユーザ移行プロセスの間、ユーザはドアを横切っているので、ドアはロック又はロック解除されない。
【００７２】
９２３で、ユーザは作業ブースの外側にいる。９２５でセッションがアクティブであるという判定のために、ドアのロックが解除され、ユーザは入ることができる。９２９で、セッションが非アクティブであるという判定のために、ユーザはアクティブセッションに関連付けられていないので、９３１で、何もしない。
【００７３】
同様に、９３３において、ユーザは作業ブースから離れた位置にいる。９３５でセッションがアクティブであると判定された場合、ユーザは作業ブースの近くにいないので、９３７でドアはロックされる。一方、セッションが非アクティブであり、９３９で、ユーザが作業ブースの近くにいないと判定された場合、９４１で何もしない。
【００７４】
前述の例示的実施形態は、主に物理的アクセスを制御することを目的としている。しかしながら、例示的実施形態はこれに限定されず、他の例示的実施形態もまた採用され得る。例えば、これに限定されるものではないが、サービスへのアクセスを制御するために不可聴音声が使用されてもよい。
【００７５】
図１０は、例示的実施形態による、不可聴音声の使用によるサービスへのアクセスを示す。より具体的には、遠隔医療キオスクが提供される。個人用装置と医療用キオスクとの間でデータを通信する必要性が高まっている。関連技術では、そのような情報はＢｌｕｅｔｏｏｔｈ又は他の同報通信メカニズムによって伝達された。しかしながら、遠隔医療キオスクの外側へのデータ漏洩の可能性、並びに速度に関連した潜在的な課題などの関連技術の問題及び欠点があり得る。
【００７６】
関連技術におけるそのような問題及び欠点により、多くの状況で遠隔医療キオスクを使用することが非現実的になっている。例えば、これに限定されるものではないが、大部分の医師の診察は非常に短いので（例えば平均約１７分）、医師は診断を下す前に、検査結果、過去又は現在の処方箋などの情報を含む患者の病歴に関する基本的な情報を持たなければならない。医者が物理的に従来の医者のオフィスにいる可能性があるため、情報は安全に得られる可能性がある。
【００７７】
しかしながら、遠隔医療キオスクの状況では、適時に診断できるように、情報を迅速かつ安全に受け取ることを保証するために医師が存在することは不可能である。代わりに、情報は無線ネットワークを介して患者から送信されなければならない。結果として、悪意のある行為者がデータを傍受する可能性があるという点で、問題又は欠点がある。さらに、情報は、モバイル装置又はスマートフォンなどのユーザに関連する装置上で暗号化され得るが、このプロセスは遅すぎることが多いか又は非実用的である。
【００７８】
例示的実施形態によると、情報は超音波通信を介して患者とブースとの間で通信される。したがって、ブースは次に、ユーザが必ずしも自分のデータを暗号化することを要求することなく、高レベルの安全性及びプライバシーを提供するために、例えば、有線ネットワークを介して医師のデータを暗号化して送信するために使用される。
【００７９】
図１０の１０００に示すように、キオスク１００１が提供される。さらに、外壁１００３は閉じられていてもよいドア１００７（例えばキオスク１００１への物理的アクセスポイント）に接続され、キオスクの内側のビーコンはキオスクの壁の外側で受信することができない超音波信号などの不可聴音声信号を送信する。キオスクの内側には、ユーザ領域１００９と作業領域１０１１がある。さらに、インタフェースは、１０１３でのディスプレイ、上述したようにビーコンを含んでもよい１０１５での入力又は出力、及び専門家が存在するための、又は次のユーザが待つための１０１７での空間として提供される。
【００８０】
本明細書における例示的実施形態は、内部ビーコン及び外部ビーコンを伴う上記のシステムを使用し、それらの各々は、不可聴音声信号を送信する。この例示的実施形態では、内部ビーコンによって送信された不可聴音声信号は、電話のマイクロフォンによって受信することができ、上述したように幾つかの情報を含み得る。その情報は安全な方法で直接医師又は他の関係者に提供されてもよい。したがって、遠隔医療サービスへの制御のアクセスはビーコンによって生成された信号に基づいており、他者による機密性のある患者情報へのアクセスを制限するために、この例示的実施形態において上述した状態エンジンを修正及び採用することができる。
【００８１】
図１１は、例示的実施形態による安全な文書へのアクセス制御の例示的実施形態を示す図であり、その詳細は、その全体が参照により本明細書に組み込まれる米国特許出願公開第２０１６／０１８２５２９号として公開された米国特許出願第１４／５８０，１７５号に開示されている。より具体的には、１１００において、ユーザインタフェースが提供される。アクセスは、不可聴音声信号をユーザのモバイル装置に関連するマイクロフォンに送信するビーコンの上述のシステムを使用して、又はその逆も同様に、屋内位置特定に基づく文書に制限される。図１０に開示された前述の例示的実施形態と併せて、この手法は医療文書又は記録のプライバシーを保護するために使用され得る。
【００８２】
より具体的には、文書への安全な位置に基づくアクセスを提供するために、経路レベルの屋内位置特定が提供される。Ｗｉ−Ｆｉ、Ｂｌｕｅｔｏｏｔｈ、ＧＰＳなどのＥＭＦベースの手法を使用すると、安全な部屋の近くにいるとき、信号漏洩のために悪意のある行為者が潜在的に情報又は文書にアクセスする可能性がある。しかしながら、上述の超音波手法、又は不可聴音声信号を使用する場合、安全な文書へのアクセスは、安全な部屋から漏れることのない、ビーコンから信号を受信するユーザに制限される。したがって、１１０１での文書のリスト、１１０３での文書自体へのアクセス、及び位置に基づいてアクセスが拒否されるという指示、並びに任意に、ビーコンから受信した信号とユーザに関連する装置の身元との間の関係によって判定される資格情報などの情報を保護することができる。
【００８３】
図１２は、例示的実施形態による会議プレゼンテーションへのアクセスを提供する例示的実施形態を示す。関連技術では、会議は協議のために追加のサービスを提供することができる。しかしながら、多数の部屋と多数のプレゼンテーションが同時に行われている大規模な会議では、必要な部屋及び議論、又はユーザの位置にある部屋及び議論を識別するのは困難な場合がある。その結果、ユーザが部屋及び議論を判定しようとしている間に貴重な会議時間が失われる可能性があり、ユーザが判定を下すまでには、ユーザはすぐに資料に追いつく必要があり、プレゼンテーションの内容の面で遅れて戸惑うことが多い。
【００８４】
１２００の例示的実施形態によると、隣接する作業ブースと同様の方法で、各会議室で不可聴音声信号を使用することにより、オンラインアプリケーションを有する装置を有するユーザが、議論が行われている部屋のビーコンから信号を受信することができるようになる。より具体的には、モバイル装置は、不可聴音声信号を受信し、室内の議論に関連する情報にアクセスすることができる。不可聴音声信号は部屋の壁やドアを越えて送信することができないので、ある部屋にいて、別の部屋でのプレゼンテーションに関連する情報を受信するという関連技術の問題はない。
【００８５】
１２０１で、ユーザが自分の議論を見つけることを可能にするインタフェースが提供される。この場合、部屋番号及び論題は複数設けられる。１２０３で、ユーザは部屋に入り、ユーザに関連する装置はその部屋のビーコンから不可聴音声信号を受信する。その信号に基づいて、ユーザに関連する装置は部屋番号と議論との間の関連を判定することができ、ユーザはオンラインで又はパンフレット若しくは冊子を使用してこのタスクを手動で実行する必要がない。したがって、ユーザはすぐに議論に参加し、スライドを見、翻訳を受け取り、質問をし、著者に連絡することなどができる。
【００８６】
図１３は、例示的実施形態による部屋に基づく音楽の区別を示す。関連技術では、家庭及び作業空間は共通の音楽サービスを共有することがある。しかしながら、１又は複数のユーザは、家の異なる部屋又はオフィスで異なる音楽を再生したいと希望する場合がある。しかしながら、ユーザは、他の音楽が提供されていることに関して、ユーザが現在いる部屋を判定することができない場合がある。したがって、室内で音楽を再生することを選択的に判定するという概念は複雑であり、関連技術のシステムは悪意のある行為者によってハッキングされる可能性があるので、家又はオフィスの一部にいるユーザは、家又はオフィスの別の部分で不要な音楽を再生し得る。
【００８７】
１３００に示されるように、部屋１３０１において、双方向通信装置１３０３がディスプレイ１３０５と共に提供される。また、スピーカ１３１３が、座席エリア１３０７、１３０９及び１３１１と共に提供されている。この例示的実施形態では、ユーザ及びＩＡＸビーコンにそれぞれ関連付けられたモバイル装置の組み合わせを使用して、例示的実施形態は、単一のユーザ動作で、現在の部屋で、かつその現在の部屋でのみ、音楽を再生するよう構成されてもよい。例えば、ビーコンは部屋に提供されてもよく、又はスピーカ及びマイクロフォンを有する家庭用通信装置がビーコンになるよう構成されてもよい。したがって、他のユーザ、又は音楽を再生したくない場所である家の他の部分にいる他のユーザによって音楽を再生させることなく、１又は複数のユーザが家の異なる部分で異なる音楽を再生してもよいように、ビーコンはユーザに関連する装置に信号を送信する。
【００８８】
図１４は、例示的実施形態による例示的プロセス１４００を示している。
【００８９】
１４０１において、内部ビーコン信号及び外部ビーコン信号が生成され、信号は、ユーザに関連する装置によって受信されるよう構成される。上記で説明したように、これは、ウェアラブル、携帯電話などのユーザに関連する装置のマイクロフォンによって受信されるよう構成されている超音波信号を生成するスピーカであり得る。さらに、外部ビーコン信号は、上述したように、ＥＭＦベースの第２の信号に置き換えることができる。
【００９０】
１４０３において、外部ビーコンのみを検出するか、内部ビーコンのみを検出するかの両方のビーコンから、ユーザに関連する装置が離れているか否かに基づいて、状態が判定される。例えば、これに限定されるものではないが、これらの状態は、上述された図８及び図９に示された状態に対応し得る。
【００９１】
１４０５において、判定状態に基づいて、限定された空間への物理的アクセスに関して動作が実行される。例えば、セッションがアクティブでユーザが両方のビーコンから離れている場合、又はセッションがアクティブで、ユーザが内部ビーコンを検出するユーザに関連する装置に基づいて限定された空間内にいると判定される場合、又はセッションが非アクティブであると判定される場合、ドアはロックされる。一方、セッションがアクティブであると判定され、ユーザに関連する装置が外部ビーコンを検出する場合、又はセッションが非アクティブであると判定され、ユーザに関連する装置が内部ビーコンを検出する場合、ドアのロックが解除され、アクティブセッションの場合にはユーザが入ることができ、又は非アクティブセッションの場合には退出することができる。
【００９２】
１４０７において、前述の状態と動作との組み合わせに基づいて、モバイル装置に提供された不可聴音声信号は、ユーザに関連する装置において適切なメッセージをユーザに表示させる。例えば、これに限定されるものではないが、これらのディスプレイは８０１〜８１１に提供されている。さらに、オンラインモバイルアプリケーションは、ユーザに関連する装置で、又は命令としてユーザに関連する装置に遠隔で処理されて提供されて、ユーザへの通信の配信に関連するコンテンツ及び他のパラメータを提供する。例えば、これに限定されるものではないが、ユーザが作業ブースの内側にいてセッションが非アクティブであると判定され、１４０５でドアのロックが解除される場合、１４０７で、セッションが非アクティブであり、作業ブースを出る時間であることがユーザに通知される。
【００９３】
図１５は、幾つかの例示的実施形態において使用するのに適した例示的コンピュータ装置１５０５を有する例示的コンピューティング環境１５００を示す。コンピューティング環境１５００内のコンピューティング装置１５０５は、１又は複数の処理ユニット、コア、又はプロセッサ１５１０、メモリ１５１５（例えば、ＲＡＭ、ＲＯＭなど）、内部記憶装置１５２０（例えば、磁気、光学、固体記憶装置、及び／又は有機）、及び／又はＩ／Ｏインタフェース１５２５を含むことができ、これらのうちの任意のものは、情報を伝達するために通信機構又はバス１５３０上で結合してもよく、又はコンピューティング装置１５０５に埋め込まれてもよい。
【００９４】
コンピューティング装置１５０５は、入力／インタフェース１５３５及び出力装置／インタフェース１５４０に通信可能に結合できる。入力／インタフェース１５３５及び出力装置／インタフェース１５４０の一方又は両方は、有線インタフェース又は無線インタフェースであってもよく、取り外し可能であってもよい。入力／インタフェース１５３５は、入力を提供するために使用できる任意の装置、部品、センサ、又はインタフェース、物理又は仮想を含んでもよい（例えば、ボタン、タッチ画面インタフェース、キーボード、ポインティング（ｐｏｉｎｔｉｎｇ）／カーソル制御、マイクロフォン、カメラ、点字、モーションセンサ、及び／又は光学式リーダなど）。
【００９５】
出力装置／インタフェース１５４０は、ディスプレイ、テレビ、モニタ、プリンタ、スピーカ、点字などを含んでもよい。幾つかの例示的実施形態では、入力／インタフェース１５３５（例えばユーザインタフェース）及び出力装置／インタフェース１５４０は、コンピューティング装置１５０５に埋め込まれるか、又は物理的に結合され得る。他の例示的実施形態では、他のコンピューティング装置は、コンピューティング装置１５０５のための入力／インタフェース１５３５及び出力装置／インタフェース１５４０として機能するか、又はその機能を提供してもよい。これらの要素は、ユーザがＡＲ環境と対話することを可能にするように、周知のＡＲハードウェア入力を含むことができるが、これに限定されない。
【００９６】
コンピューティング装置１５０５の例には、機動性が高い装置（例えば、スマートフォン、車両及び他のマシンの装置、人間及び動物が携行する装置など）、モバイル装置（例えば、タブレット、ノートブック、ラップトップ、パーソナルコンピュータ、携帯用テレビ、ラジオなど）、並びに、携帯用に設計されていない装置（例えば、デスクトップコンピュータ、サーバ装置、他のコンピュータ、情報キオスク、１又は複数のプロセッサが埋め込まれた及び／又は結合されたテレビ、ラジオなど）が含まれてもよいが、これに限定されない。
【００９７】
コンピューティング装置１５０５は、同じ構成又は異なる構成の１又は複数のコンピューティング装置を含む、任意の数のネットワーク部品、装置、及びシステムと通信するために、外部記憶装置１５４５及びネットワーク１５５０に通信可能に結合することができる（例えば、Ｉ／Ｏインタフェース１５２５を介して）。コンピューティング装置１５０５又は任意の接続されたコンピューティング装置は、サーバ、クライアント、シンサーバ、汎用マシン、専用マシン、又は別のラベルとして機能し、サービスを提供し、参照されることができる。
【００９８】
Ｉ／Ｏインタフェース１５２５は、コンピューティング環境１５００内の少なくともすべての接続された部品、装置、及びネットワークとの間で情報を伝達するために、任意の通信又はＩ／Ｏのプロトコル又は規格（例えば、イーサネット（登録商標）、８０２．１１ｘｓ、ユニバーサルシステムバス、ＷｉＭＡＸ、モデム、セルラーネットワークプロトコルなど）を使用する有線インタフェース及び／又は無線インタフェースを含むことができるが、これに限定されない。ネットワーク１５５０は、任意のネットワーク又はネットワークの組み合わせ（例えば、インターネット、ローカルエリアネットワーク、ワイドエリアネットワーク、電話ネットワーク、セルラーネットワーク、衛星ネットワークなど）であってもよい。
【００９９】
コンピューティング装置１５０５は、一時的媒体及び非一時的媒体を含むコンピュータ使用可能媒体又はコンピュータ可読媒体を使用して使用及び／又は通信できる。一時的媒体は、伝送媒体（例えば、金属ケーブル、光ファイバ）、信号、搬送波などを含む。非一時的媒体は、磁気媒体（例えば、ディスク及びテープ）、光学媒体（例えば、ＣＤ−ＲＯＭ、デジタルビデオディスク、Ｂｌｕ−ｒａｙ（登録商標）ディスク）、固体媒体（例えば、ＲＡＭ、ＲＯＭ、フラッシュメモリ、固体記憶装置）、及び他の不揮発性記憶装置又はメモリを含む。
【０１００】
コンピューティング装置１５０５は、幾つかの例示的コンピューティング環境において、技法、方法、アプリケーション、プロセス、又はコンピュータ実行可能命令を実装するために使用できる。コンピュータ実行可能命令は、一時的媒体から取得され、非一時的媒体に記憶され、非一時的媒体から取得され得る。実行可能命令は、任意のプログラミング言語、スクリプティング言語、及び機械語（例えば、Ｃ、Ｃ＋＋、Ｃ＃、Ｊａｖａ（登録商標）、Ｖｉｓｕａｌ  Ｂａｓｉｃ、Ｐｙｔｈｏｎ、Ｐｅｒｌ、ＪａｖａＳｃｒｉｐｔ（登録商標）など）のうちの１又は複数から作られてもよい。
【０１０１】
プロセッサ１５１０は、ネイティブ環境又は仮想環境において、任意のオペレーティングシステム（ＯＳ）（図示せず）の下で実行できる。論理ユニット１５５５、アプリケーションプログラミングインタフェース（ＡＰＩ）ユニット１５６０、入力ユニット１５６５、出力ユニット１５７０、ビーコン信号発生装置１５７５、状態判定ユニット１５８０、アクセス制御ユニット１５８５、及び異なるユニットが互いに、ＯＳと、及び他のアプリケーション（図示せず）と通信するためのユニット間通信メカニズム１５９５を含む１又は複数のアプリケーションを配備できる。
【０１０２】
例えば、ビーコン信号発生装置１５７５、状態判定ユニット１５８０、及びアクセス制御ユニット１５８５は、上記で説明した構造に関して上記で示した１又は複数のプロセスを実施することができる。説明されたユニット及び要素は、設計、機能、構成、又は実施形態において変更可能であり、提供される説明に限定されない。
【０１０３】
幾つかの例示的実施形態では、情報又は実行命令がＡＰＩユニット１５６０によって受信されると、１又は複数の他のユニット（例えば、論理ユニット１５５５、入力ユニット１５６５、ビーコン信号発生装置１５７５、状態判定ユニット１５８０、及びアクセス制御ユニット１５８５）に伝達されてもよい。
【０１０４】
例えば、ビーコン信号発生装置１５７５は、例えば作業ブースの構造の一部として、又は上述のようにユーザに関連する装置に関連してのいずれかで、限定された空間の内部及び外部の両方でビーコン出力を生成することができる。状態判定ユニット１５８０は、ウェアラブル又は携帯電話であり得るユーザの装置に関連付けられたマイクロフォンなどでのビーコン出力の検知又は受信に基づいて、検出又は検知された信号の生成元のビーコン、及びそのビーコンの場所の身元に基づいて状態を判定し得る。さらに、アクセス制御ユニット１５８５は、ロック又はロック解除などの制御条件を判定しアクセスでき、状態テーブルなどを使用するなどして、状態に基づいてロック又はロック解除動作を実行するための信号を生成することもできる。
【０１０５】
幾つかの例では、論理ユニット１５５５は、ユニット間の情報の流れを制御し、上記の幾つかの例示的実施形態におけるＡＰＩユニット１５６０、入力ユニット１５６５、ビーコン信号発生装置１５７５、状態判定ユニット１５８０、及びアクセス制御ユニット１５８５によって提供されるサービスを指示するように構成してもよい。例えば、１又は複数のプロセス又は実施形態のフローは、論理ユニット１５５５によって単独で、又はＡＰＩユニット１５６０と連携して制御してもよい。
【０１０６】
図１６は、幾つかの例示的実施形態に適した環境の例を示す。環境１６００は、装置１６０５〜１６４５を含み、それぞれは、例えばネットワーク１６６０を介して少なくとも１つの他の装置に通信可能に接続される（例えば、有線及び／又は無線接続によって）。幾つかの装置は、１又は複数の記憶装置１６３０及び１６４５に通信可能に接続されてもよい。
【０１０７】
１又は複数の装置１６０５〜１６４５の一例は、それぞれ図１５に記載されたコンピューティング装置１５０５であってもよい。装置１６０５〜１６４５は、モニタと、上述のような関連ウェブカムとを有するコンピュータ１６０５（例えば、ラップトップコンピュータ装置）、モバイル装置１６１０（例えば、スマートフォン又はタブレット）、テレビ１６１５、車両に関連する装置１６２０、サーバコンピュータ１６２５、コンピューティング装置１６３５〜１６４０、記憶装置１６３０及び１６４５を含んでもよいが、これに限定されない。
【０１０８】
これらの装置は、ユーザがＡＲ、ＶＲ、複合現実感、又は他の環境で対話することを可能にするために、これを含むがこれに限定されない当技術分野で周知のＡＲ周辺機器に通信可能に接続されてもよい。さらに、当業者には理解されるように、装置はメディアオブジェクトキャプチャハードウェアを含むことができる。
【０１０９】
幾つかの実施形態では、装置１６０５〜１６２０は、企業のユーザに関連するユーザ装置と見なすことができる。装置１６２５〜１６４５は、サービスプロバイダに関連する装置であってもよい（例えば、上述の、及び様々な図面に関してのサービスを提供するために、及び／又はウェブページ、テキスト、テキスト部分、画像、画像部分、オーディオ、オーディオセグメント、ビデオ、ビデオセグメント、及び／又はその周辺の情報などのデータを記憶するために、外部ホストによって使用される）。
【０１１０】
前述の例示的実施形態は、関連技術に対して様々な利益及び利点を有する可能性がある。限定ではなく例として、関連技術の「スマート」ドアロックはＢｌｕｅｔｏｏｔｈ及び近接場技術に依存しているが、これらの関連技術は、ユーザに関連する装置、したがってユーザが壁などの物理的境界の一方側又は他方の側にあるか否かを判定することができない。本明細書で説明される例示的実施形態は、物理的境界を越えない不可聴音声信号の使用によってこの関連技術の欠点を克服する。
【０１１１】
さらに、関連技術の超音波音声手法が装置の関連付け、装置の追跡、距離の判定又はコードの送信に使用されてきたが、これらの関連技術の手法はドアへのアクセスを制御するためには使用されてこなかった。さらに、関連技術の手法は、アクセスに関して一方向ゲートを提供するだけであり、限定された空間への物理的アクセスを制御しない。さらに、例示的実施形態は、限定された空間への物理的なアクセスを防止又は許可するように、身元を示す情報を送信することができる。動き検出装置などの関連技術の手法は、データを送信することができず、さらなる検証なしに、ユーザが存在するか否かについての二値検出のみを提供する。さらなる関連技術の手法では、ユーザが物理的な限定された空間の内側にいるのか外側にいるのかを判定することができない。本例示的実施形態は、これら及び他の問題及び欠点を克服することができる。
【０１１２】
幾つかの例示的実施形態では、近接の判定は二値である（例えば、存在する又は存在しない）。しかしながら、他の例示的実施形態では、判定は非二値（例えば、作業ブースへの近さの程度）であり得る。言い換えれば、ＩＡＸビーコンは、離散的又は連続的な近接情報のいずれかを必要とする用途で使用され得る。例えば、限定はしないが、アプリケーションはＩＡＸビーコンを利用して、ユーザが作業ブースにいるか否かを判定することができる（離散的）。別のアプリケーションでは、ＩＡＸビーコンを使用して、ユーザが公衆ディスプレイからどれだけ離れているかを判定する（連続的）。
【０１１３】
前述の例示的実施形態の幾つかは、限られたスペースとして作業ブースを目的とし得るが、本発明の範囲から逸脱することなく、他の限定された空間に置き換えることができる。例えば、これに限定されるものではないが、関連技術のスマートロックは自動的にドアのロックを解除するためにジオフェンシングを使用することができるが、ユーザの位置についての誤った仮定に基づいてエラーが発生する可能性があり、誤ったシステム状態につながる。第１の音波信号が家又は他の住居のドアの内部（例えばスマートロックの内向きの場所）で生成される例示的実施形態によれば、システムはユーザが住居に入ったか否かを正しく検知し、状態を正しく判定し、それによりロック及びロック解除が関連技術のエラーなしに実行される。
【０１１４】
幾つかの例示的実施形態が示され、説明されているが、これらの例示的実施形態は、本明細書に記載される主題をこの分野に精通した人々に伝えるために提供される。本明細書に記載された主題は、記載された例示的実施形態に限定されることなく、様々な形態で実施されてもよいことを理解されたい。本明細書に記載された主題は、具体的に定義又は記載された事項なしに、又は記載されていない他の又は異なる要素又は事項を使用して実施できる。この分野に精通した者は、添付の特許請求の範囲及びその均等物で定義された本明細書に記載された主題から逸脱することなく、これらの例示的実施形態に対して変更を行うことができることを理解するであろう。
【図１（ａ）】
2020071872.tif 000003
【図１（ｂ）】
2020071872.tif 000004
【図２（ａ）】
2020071872.tif 000005
【図２（ｂ）】
2020071872.tif 000006
【図２（ｃ）】
2020071872.tif 000007
【図３（ａ）】
2020071872.tif 000008
【図３（ｂ）】
2020071872.tif 000009
【図４】
2020071872.tif 000010
【図５】
2020071872.tif 000011
【図６（ａ）】
2020071872.tif 000012
【図６（ｂ）】
2020071872.tif 000013
【図６（ｃ）】
2020071872.tif 000014
【図６（ｄ）】
2020071872.tif 000015
【図６（ｅ）】
2020071872.tif 000016
【図６（ｆ）】
2020071872.tif 000017
【図７】
2020071872.tif 000018
【図８】
2020071872.tif 000019
【図９】
2020071872.tif 000020
【図１０】
2020071872.tif 000021
【図１１】
2020071872.tif 000022
【図１２】
2020071872.tif 000023
【図１３】
2020071872.tif 000024
【図１４】
2020071872.tif 000025
【図１５】
2020071872.tif 000026
【図１６】
2020071872.tif 000027